【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
セルロース繊維と、水混和性ポリマーとを含むセルロース系繊維の組成物であって、該水混和性ポリマーは、少なくとも１個のアリール基、および、少なくとも１個の−Ｓ（＝Ｏ）２ＯＲ１、または、−ＯＳ（＝Ｏ）２（Ｏ）ｐＲ１部分で置換された少なくとも１種のエチレン性不飽和の単量体（Ａ）から形成されたポリマーセグメントを含み、ここで、ｐは、０または１であり、Ｒ１は、それぞれ独立して、Ｈ、アルキル、アリールまたはカチオンであり、該ポリマーは、約５百万またはそれより大きい重量平均分子量を有する、上記組成物。
【請求項２】
前記単量体Ａは、スチレンスルホン酸、ビニルトルエンスルホン酸、α−メチルスチレンスルホン酸、アネトールスルホン酸、ビニルフェニル硫酸、４−スルホナートＮ−ベンジルアクリルアミド、４−スルホナートＮ−フェニルアクリルアミド、ビニルピレンスルホン酸、ビニルアントラセンスルホン酸、２−アクリルアミド−２−メチル−プロパンスルホン酸（ＡＭＰＳ）、ビニルスルホン酸、ビニルピリジニオプロパンスルホナートの遊離酸または塩、および、それらの混合物からなる群より選択される、請求項１に記載のセルロース系繊維の組成物。
【請求項３】
前記単量体Ａは、スチレンスルホン酸の遊離酸または塩を含む請求項１に記載のセルロース系繊維の組成物。
【請求項４】
前記単量体Ａは、式Ｉ：
【化１】
2008523236.tif 000001
を有し、式中：
Ｒ１は、Ｎａ＋、Ｋ＋、Ｌｉ＋、ＮＨ４＋またはＲ５ＮＨ３＋であり、
Ｒ３、Ｒ４およびＲ５は、独立して、Ｈまたはアルキルであり、−ＳＯ３Ｒ１基は、オルト、メタまたはパラ位に存在する、請求項１に記載のセルロース系繊維の組成物。
【請求項５】
前記単量体Ａは、式ＩＡまたはＩＢ：
【化２】
2008523236.tif 000002
を有し、式中：
Ｒ１はカチオンであり、
Ｒ３、Ｒ４およびＲ５は、独立して、Ｈまたはアルキルであり；および、
Ａｒはアリールである、請求項１に記載のセルロース系繊維の組成物。
【請求項６】
少なくとも１種のエチレン性不飽和のアニオン性または非イオン性単量体（Ｂ）から形成されたポリマーセグメントをさらに含む、請求項１に記載のセルロース系繊維の組成物。
【請求項７】
少なくとも１種のエチレン性不飽和のアニオン性または非イオン性単量体（Ｂ）から形成されたポリマーセグメントをさらに含む、請求項３に記載のセルロース系繊維の組成物。
【請求項８】
前記単量体Ａは、スチレンスルホン酸のナトリウムまたはアンモニウム塩を含み、そして前記単量体Ｂは、アクリルアミドである、請求項６に記載のセルロース系繊維の組成物。
【請求項９】
前記単量体Ａは、スチレンスルホン酸のナトリウムまたはアンモニウム塩を含み、そして前記単量体Ｂは、アクリル酸の塩である、請求項６に記載のセルロース系繊維の組成物。
【請求項１０】
Ａ：Ｂのモル比は、約５：９５〜約１００：０である、請求項６に記載のセルロース系繊維の組成物。
【請求項１１】
セルロース系繊維の組成物における濾水および固形分の歩留まりを改善する方法であって：
セルロース系繊維の組成物に、アニオン性水混和性ポリマーを添加することを含み、害アニオン性水混和性ポリマーは、少なくとも１個のアリール基、および、少なくとも１個の−Ｓ（＝Ｏ）２ＯＲ１、または、−ＯＳ（＝Ｏ）２（Ｏ）ｐＲ１部分で置換された少なくとも１種のエチレン性不飽和の単量体（Ａ）から形成されたポリマーセグメントを含み、ここで、ｐは、０または１であり、Ｒ１は、それぞれ独立して、Ｈ、アルキル、アリールまたはカチオンであり、該ポリマーは、約５百万またはそれより大きい重量平均分子量を有する、上記方法。
【手続補正２】
【補正対象書類名】明細書
【補正対象項目名】００８６
【補正方法】変更
【補正の内容】
【００８６】
この文書中で引用または記載されたそれぞれの特許、特許出願および公報の開示は、それらの全体を参照により本発明に含める。
本明細書で説明されている改変に加えて、当業者であれば、前述の説明から本発明の様々な改変を十分に理解できると思われる。このような改変も、添付の請求項の範囲内に含まれるものとする。
［本発明の態様］
［１］
セルロース繊維と、水混和性ポリマーとを含むセルロース系繊維の組成物であって、該水混和性ポリマーは、少なくとも１個のアリール基、および、少なくとも１個の−Ｓ（＝Ｏ）２ＯＲ１、または、−ＯＳ（＝Ｏ）２（Ｏ）ｐＲ１部分で置換された少なくとも１種のエチレン性不飽和の単量体（Ａ）から形成されたポリマーセグメントを含み、ここで、ｐは、０または１であり、Ｒ１は、それぞれ独立して、Ｈ、アルキル、アリールまたはカチオンであり、該ポリマーは、約５百万またはそれより大きい重量平均分子量を有する、上記組成物。
［２］
前記単量体Ａは、スチレンスルホン酸、ビニルトルエンスルホン酸、α−メチルスチレンスルホン酸、アネトールスルホン酸、ビニルフェニル硫酸、４−スルホナートＮ−ベンジルアクリルアミド、４−スルホナートＮ−フェニルアクリルアミド、ビニルピレンスルホン酸、ビニルアントラセンスルホン酸、２−アクリルアミド−２−メチル−プロパンスルホン酸（ＡＭＰＳ）、ビニルスルホン酸、ビニルピリジニオプロパンスルホナートの遊離酸または塩、および、それらの混合物からなる群より選択される、１に記載のセルロース系繊維の組成物。
［３］
前記単量体Ａは、スチレンスルホン酸の遊離酸または塩を含む１に記載のセルロース系繊維の組成物。
［４］
前記単量体Ａは、式Ｉを有し、式中：
Ｒ１は、Ｎａ＋、Ｋ＋、Ｌｉ＋、ＮＨ４＋またはＲ５ＮＨ３＋であり、
Ｒ３、Ｒ４およびＲ５は、独立して、Ｈまたはアルキルであり、−ＳＯ３Ｒ１基は、オルト、メタまたはパラ位に存在する、１に記載のセルロース系繊維の組成物。
［５］
前記単量体Ａは、式ＩＡまたはＩＢを有し、式中：
Ｒ１はカチオンであり、
Ｒ３、Ｒ４およびＲ５は、独立して、Ｈまたはアルキルであり；および、
Ａｒはアリールである、１に記載のセルロース系繊維の組成物。
［６］
少なくとも１種のエチレン性不飽和のアニオン性または非イオン性単量体（Ｂ）から形成されたポリマーセグメントをさらに含む、１に記載のセルロース系繊維の組成物。
［７］
少なくとも１種のエチレン性不飽和のアニオン性または非イオン性単量体（Ｂ）から形成されたポリマーセグメントをさらに含む、３に記載のセルロース系繊維の組成物。
［８］
前記単量体Ｂは、アクリルアミド、メタクリルアミド、Ｎ−アルキルアクリルアミド、Ｎ−メチルアクリルアミド、Ｎ，Ｎ−ジアルキルアクリルアミド、Ｎ，Ｎ−ジメチルアクリルアミド、アクリロニトリル、Ｎ−ビニルメチルアセトアミド、Ｎ−ビニルホルムアミド、Ｎ−ビニルメチルホルムアミド、Ｎ−ビニルピロリドン、スチレン、ブタジエン、酢酸ビニル、アクリル酸メチル、メタクリル酸メチル、アクリル酸アルキル、メタクリル酸アルキル、アルキルアクリルアミド、アルキルメタクリルアミド、アルコキシル化アクリラート、メタクリラート、アルキルポリエチレングリコールアクリラート、アルキルポリエチレングリコールメタクリラート、アクリル酸、メタクリル酸、マレイン酸、フマル酸、イタコン酸、アクリルアミドグリコール酸の遊離酸または塩、および、それらの混合物からなる群より選択される、６に記載のセルロース系繊維の組成物。
［９］
前記単量体Ｂは、アクリルアミドである、６に記載のセルロース系繊維の組成物。
［１０］
前記単量体Ｂは、アクリル酸の塩である、６に記載のセルロース系繊維の組成物。
［１１］
前記単量体Ａは、スチレンスルホン酸のナトリウムまたはアンモニウム塩を含む、９に記載のセルロース系繊維の組成物。
［１２］
前記単量体Ａは、スチレンスルホン酸のナトリウムまたはアンモニウム塩を含む、１０に記載のセルロース系繊維の組成物。
［１３］
Ａ：Ｂのモル比は、約５：９５〜約１００：０である、６に記載のセルロース系繊維の組成物。
［１４］
Ａ：Ｂのモル比は、約２０：８０〜約１００：０である、６に記載のセルロース系繊維の組成物。
［１５］
Ａ：Ｂのモル比は、約３０：７０〜約１００：０である、６に記載のセルロース系繊維の組成物。
［１６］
前記セルロース繊維は、パルプスラリーを含む、１に記載のセルロース系繊維の組成物。
［１７］
前記セルロース繊維は、紙または板紙を含む、１に記載のセルロース系繊維の組成物。
［１８］
無機鉱物性の増量剤、顔料、サイズ剤、スターチ、堆積を制御する物質、充填剤、不透明化剤、蛍光増白剤、増強剤、有機または無機凝固剤、および、従来の凝集剤の少なくとも１種をさらに含む、１に記載のセルロース系繊維の組成物。
［１９］
セルロース系繊維の組成物を製造する方法であって：
水性セルロース系繊維のスラリーに、アニオン性水混和性ポリマーを添加することを含み、該アニオン性水混和性ポリマーは、少なくとも１個のアリール基、および、少なくとも１個の−Ｓ（＝Ｏ）２ＯＲ１、または、−ＯＳ（＝Ｏ）２（Ｏ）ｐＲ１部分で置換された少なくとも１種のエチレン性不飽和の単量体（Ａ）から形成されたポリマーセグメントを含み、ここで、ｐは、０または１であり、Ｒ１は、それぞれ独立して、Ｈ、アルキル、アリールまたはカチオンであり、該ポリマーは、約５百万またはそれより大きい重量平均分子量を有する、上記方法。
［２０］
セルロース系繊維の組成物における濾水および固形分の歩留まりを改善する方法であって：
セルロース系繊維の組成物に、アニオン性水混和性ポリマーを添加することを含み、害アニオン性水混和性ポリマーは、少なくとも１個のアリール基、および、少なくとも１個の−Ｓ（＝Ｏ）２ＯＲ１、または、−ＯＳ（＝Ｏ）２（Ｏ）ｐＲ１部分で置換された少なくとも１種のエチレン性不飽和の単量体（Ａ）から形成されたポリマーセグメントを含み、ここで、ｐは、０または１であり、Ｒ１は、それぞれ独立して、Ｈ、アルキル、アリールまたはカチオンであり、該ポリマーは、約５百万またはそれより大きい重量平均分子量を有する、上記方法。